(57)【要約】      （修正有）【課題】太陽電池パネルを塀として構成するための太陽電池パネル用支持コラムおよびそれにより構成された太陽電池パネル塀を提供する。【解決手段】太陽電池パネル用支持コラムは、柱部１とパネル支持部２からなり、パネル支持部２が柱部１の外側面に設けられており、パネル支持部２はパネルの辺部が挿入されるパネル支持溝２ａを形成する外側支持部２ｂと内側支持部２ｃを有し、パネル支持溝２ａは柱部１の長手方向と平行に延びている。太陽電池パネル塀は、複数本の太陽電池パネル用支持コラムと、複数枚のパネルからなり、パネルの向かい合う２辺を２本の太陽電池パネル用支持コラムのパネル支持溝２ａで挟み込むことで構成される。太陽電池パネル塀において一部もしくは全部のパネルを太陽電池パネルとすることができるので、太陽電池パネルにより発電して省エネルギーに貢献することができる。【選択図】図１
0003146785.tif 000002
【実用新案登録請求の範囲】
【請求項１】
柱部とパネル支持部からなる支持コラムであって、
前記パネル支持部が前記柱部の外側面に設けられており、
前記パネル支持部はパネルの辺部が挿入されるパネル支持溝を形成する外側支持部と内側支持部を有し、
前記パネル支持溝は前記柱部の長手方向と平行に延びる
ことを特徴とする太陽電池パネル用支持コラム。
【請求項２】
前記柱部と、２つの前記パネル支持部からなる支持コラムであって、
１つの前記パネル支持部に対して１つの前記パネル支持溝が形成されており、
２つの前記パネル支持部の前記パネル支持溝同士が同一方向に開口している
ことを特徴とする請求項１記載の太陽電池パネル用支持コラム。
【請求項３】
前記柱部と、２つの前記パネル支持部からなる支持コラムであって、
１つの前記パネル支持部に対して２つの前記パネル支持溝が、同一線上で反対向きに開口するように形成されており、
２つの前記パネル支持部の各前記パネル支持溝が反対向きに２つずつ開口している
ことを特徴とする請求項１記載の太陽電池パネル用支持コラム。
【請求項４】
前記柱部と、４つの前記パネル支持部からなる支持コラムであって、
１つの前記パネル支持部に対して１つの前記パネル支持溝が形成されており、
隣り合う２つの前記パネル支持部を１対として、２対の前記パネル支持部とし、
対をなす２つの前記パネル支持部の前記パネル支持溝同士が同一方向に開口しており、
１対の前記パネル支持部の前記パネル支持溝の開口する方向と、他の対の前記パネル支持部の前記パネル支持溝の開口する方向とが一定の角度をなす
ことを特徴とする請求項１記載の太陽電池パネル用支持コラム。
【請求項５】
複数本の請求項１から４記載の太陽電池パネル用支持コラムと、複数枚のパネルからなり、
該パネルの向かい合う２辺を２本の前記太陽電池パネル用支持コラムの前記パネル支持溝で挟み込む
ことを特徴とする太陽電池パネル塀。
【請求項６】
請求項５記載の太陽電池パネル塀において、
一部もしくは全部のパネルを太陽電池パネルとする
ことを特徴とする太陽電池パネル塀。
【考案の詳細な説明】
【技術分野】
【０００１】
本考案は、太陽電池パネル用支持コラム、太陽電池パネル塀に関する。
【背景技術】
【０００２】
近年では、省エネルギーのために種々の場面において太陽電池が設置されている。そのなかでも建物の外壁や屋根は太陽光線を受けやすいため、太陽電池パネルの設置が多く行われている。
建物の外壁や屋根に太陽電池パネルを設置することは従来から行われており、その従来技術も、外壁に設置する技術として特許文献１、２が、屋根に設置する技術として特許技術３、４が開示されている。
しかしながら、太陽電池パネルを塀として構成する技術に関しては、建物の外壁と同様に太陽光線を受けやすいにもかかわらず、現在まで何ら示唆されることはなかった。
【０００３】
【特許文献１】特開平１１−１７２８１３
【特許文献２】特開２０００−６４５５５
【特許文献３】特開２００２−１３２６６
【特許文献４】特開２００５−２８２１２４
【考案の開示】
【考案が解決しようとする課題】
【０００４】
本考案は上記事情に鑑み、太陽電池パネルを塀として構成するための太陽電池パネル用支持コラムおよびそれにより構成された太陽電池パネル塀を提供することを目的とする。
【課題を解決するための手段】
【０００５】
第１考案の太陽電池パネル用支持コラムは、柱部とパネル支持部からなる支持コラムであって、前記パネル支持部が前記柱部の外側面に設けられており、前記パネル支持部はパネルの辺部が挿入されるパネル支持溝を形成する外側支持部と内側支持部を有し、前記パネル支持溝は前記柱部の長手方向と平行に延びることを特徴とする。
第２考案の太陽電池パネル用支持コラムは、第１考案において、前記柱部と、２つの前記パネル支持部からなる支持コラムであって、１つの前記パネル支持部に対して１つの前記パネル支持溝が形成されており、２つの前記パネル支持部の前記パネル支持溝同士が同一方向に開口していることを特徴とする。
第３考案の太陽電池パネル用支持コラムは、第１考案において、前記柱部と、２つの前記パネル支持部からなる支持コラムであって、１つの前記パネル支持部に対して２つの前記パネル支持溝が、同一線上で反対向きに開口するように形成されており、２つの前記パネル支持部の各前記パネル支持溝が反対向きに２つずつ開口していることを特徴とする。
第４考案の太陽電池パネル用支持コラムは、第１考案において、前記柱部と、４つの前記パネル支持部からなる支持コラムであって、１つの前記パネル支持部に対して１つの前記パネル支持溝が形成されており、隣り合う２つの前記パネル支持部を１対として、２対の前記パネル支持部とし、対をなす２つの前記パネル支持部の前記パネル支持溝同士が同一方向に開口しており、１対の前記パネル支持部の前記パネル支持溝の開口する方向と、他の対の前記パネル支持部の前記パネル支持溝の開口する方向とが一定の角度をなすことを特徴とする。
第５考案の太陽電池パネル塀は、複数本の第１考案から第４考案の太陽電池パネル用支持コラムと、複数枚のパネルからなり、該パネルの向かい合う２辺を２本の前記太陽電池パネル用支持コラムの前記パネル支持溝で挟み込むことを特徴とする。
第６考案の太陽電池パネル塀は、第５考案の太陽電池パネル塀において、一部もしくは全部のパネルを太陽電池パネルとすることを特徴とする。
【考案の効果】
【０００６】
第１考案によれば、パネル支持溝にパネルの辺部を挿入することができるので、パネルの辺部を太陽電池パネル用支持コラムで固定することができる。２本の太陽電池パネル用支持コラムをパネル支持溝の開口方向が向かい合うように設置して、その間にパネルを挿入し、パネルの向かい合う２辺をパネル支持溝で固定すれば、太陽電池パネル塀を構成することができる。
第２考案によれば、１本の太陽電池パネル用支持コラムに同一方向に開口する２つのパネル支持溝が形成されているので、２枚の平行なパネルのそれぞれの１辺を固定することができる。２本の太陽電池パネル用支持コラムをパネル支持溝の開口方向が向かい合うように設置して、その間に２枚の平行なパネルを挿入し、それぞれのパネルの向かい合う２辺をパネル支持溝で固定すれば、パネルを二重とした太陽電池パネル塀を構成することができる。
第３考案によれば、１本の太陽電池パネル用支持コラムにパネル支持溝が反対向きに２つずつ開口するように形成されているので、４枚のパネルのそれぞれの１辺を、太陽電池パネル支持コラムを挟んで２枚ずつ平行に固定することができる。２本の第２考案の太陽電池パネル用支持コラムをパネル支持溝の開口方向が向かい合うように設置して、その間に１本または複数本の第３考案の太陽電池パネル用支持コラムをパネル支持溝の開口方向が全て同一となるように設置して、各太陽電池パネル用支持コラムの間に２枚ずつの平行なパネルを挿入し、それぞれのパネルの向かい合う２辺をパネル支持溝で固定すれば、パネルを二重とし、幅の長い太陽電池パネル塀を構成することができる。
第４考案によれば、１本の太陽電池パネル用支持コラムに一定の角度をなす２方向に開口した２つずつのパネル支持溝が形成されているので、４枚のパネルのそれぞれの１辺を、太陽電池パネル支持コラムを挟んで２枚ずつ平行に固定することができる。太陽電池パネル支持コラムを挟んだパネル同士はパネル支持溝と同一の一定の角度をなす。２本の第２考案の太陽電池パネル用支持コラムを設置して、その間に１本または複数本の第４考案の太陽電池パネル用支持コラムを隣り合う太陽電池パネル用支持コラムのパネル支持溝の開口方向が向かい合うように設置して、各太陽電池パネル用支持コラムの間に２枚ずつの平行なパネルを挿入し、それぞれのパネルの向かい合う２辺をパネル支持溝で固定すれば、パネルを二重とし、屈曲した太陽電池パネル塀を構成することができる。
また、第２、第３および第４考案の太陽電池パネル用支持コラムとパネルを組み合わせることにより、任意の形状の太陽電池パネル塀を構成することができる。
第５考案によれば、第１から第４考案の太陽電池用支持コラムとパネルを組み合わせることにより、任意の形状の太陽電池パネル塀を設置することができる。したがって、建物や敷地の形状に合わせて太陽電池パネル塀を設置することができる。
第６考案によれば、第５考案の太陽電池パネル塀において一部もしくは全部のパネルを太陽電池パネルとすることができるので、太陽電池パネルにより発電して省エネルギーに貢献することができる。パネルは二重に構成することができるので、太陽の方向により一方の面が影になる場合でも他方の面で太陽光線を受けて発電を続けることができる。
また、全てのパネルを太陽電池パネルにする必要はないので、一般に高価である太陽電池パネルを適当な枚数だけ設置することができる。太陽電池パネル塀を設置した後に適宜太陽電池パネルの枚数を増減させることも可能である。太陽電池パネルが故障した場合には、故障した太陽電池パネルを取り外し、新たな太陽電池パネルかその他のパネルに取り替えることもできる。
【考案を実施するための最良の形態】
【０００７】
つぎに、本考案の実施形態を図面に基づき説明する。
図１は、本考案の第１実施形態に係る太陽電池パネル用支持コラムＡの斜視図である。図２は、同太陽電池パネル用支持コラムＡの平面図である。
太陽電池パネル用支持コラムＡは柱部１と２つのパネル支持部２からなる。柱部１は中空の長尺のパイプであり、平面視凸型である。凸部１ａは図２における右側に位置する。パネル支持部２は柱部１の外側面の、柱部１を挟んで対称となる２箇所に設けられている。
【０００８】
パネル支持部２はパネル支持溝２ａと、パネル支持溝２ａを形成する外側支持部２ｂおよび内側支持部２ｃからなる。本実施形態では、外側支持部２ｂおよび内側支持部２ｃを板状に形成しているので、パネル支持部２は平面視コ字型となっている。このような形状であるので、後述するようにパネル支持溝２ａにパネルＤの辺部を挿入して、パネルＤを固定することができる。
【０００９】
図１に示すように、パネル支持部２は柱部１の長手方向と平行に延び、柱部１の全長に渡って設けられている。したがって太陽電池パネル用支持コラムＡはいずれの位置の水平断面も図２と同じ形状となっている。
また、２つのパネル支持溝２ａは同一方向（図２における右方向）に開口しており、平面視では、図２おける中心軸ａに対して線対称の形状をしている。
【００１０】
図７は、太陽電池パネル塀の水平断面図である。太陽電池パネル用支持コラムＡは構成する太陽電池パネル塀の終端に用いる。
太陽電池パネル用支持コラムＡに対してもう一本の太陽電池パネル用支持コラムＡまたは後述する太陽電池パネル用支持コラムＢまたはＣをパネル支持溝２ａの開口方向が向かい合うように設置して、その間に２枚のパネルＤを挿入すれば、長方形のパネルＤの向かい合う２辺をパネル支持溝２ａで固定することができる。太陽電池パネル用支持コラムＡの２つのパネル支持溝２ａは同一方向に開口しているので、挿入された２枚のパネルＤは平行となり、パネルＤを二重とした太陽電池パネル塀を構成することができる。
【００１１】
図３、図４は、それぞれ第２実施形態に係る太陽電池パネル用支持コラムＢの斜視図および平面図である。太陽電池パネル用支持コラムＢは太陽電池パネル塀の中間に用いられる。
太陽電池パネル用支持コラムＢは、柱部１と２つのパネル支持部２からなる。柱部１は中空の長尺のパイプであり、平面視正方形である。パネル支持部２は柱部１の外側面の、柱部１を挟んでの対称となる２箇所に設けられている。
【００１２】
パネル支持部２はパネル支持溝２ａを形成する外側支持部２ｂおよび内側支持部２ｃからなり、かつ１つのパネル支持部２に対して２つのパネル支持溝２ａが、同一線上で反対向きに開口するように形成されている。本実施形態では、外側支持部２ｂおよび内側支持部２ｃは板状に形成されており、それぞれ柱部１の側面に対して平行となっている。
【００１３】
図３に示すように、パネル支持部２は柱部１の長手方向と平行に延び、柱部１の全長に渡って設けられている。したがって太陽電池パネル用支持コラムＢはいずれの位置の水平断面も図４と同じ形状となっている。
また、２つのパネル支持部２間の各パネル支持溝２ａは反対向き（図４における左右方向）に２つずつ開口しており、平面視では、中心ｂに対して点対称の形状をしている。太陽電池パネル用支持コラムＡおよびＢにおいて、それぞれの２つのパネル支持部２間のパネル支持溝２ａの距離は同じである。
【００１４】
前述の通り、太陽電池パネル用支持コラムＢは太陽電池パネル塀の中間に用いることができるので、パネルＤを連結し幅の長い太陽電池パネル塀を構成することができる。
図７に示すように、他の２本の太陽電池パネル用支持コラムＡ、ＢもしくはＣの間に太陽電池パネル用支持コラムＢをパネル支持溝２ａの開口方向が他の２本の太陽電池パネル用支持コラムＡ、Ｂ、Ｃのパネル支持溝２ａに向かい合うように設置して、その間に４枚のパネルＤを挿入すれば、長方形のパネルＤの向かい合う２辺をパネル支持溝２ａで固定することができる。これにより、パネルＤを二重とし、幅の長い太陽電池パネル塀を構成することができる。
【００１５】
図５、図６は、それぞれ第３実施形態に係る太陽電池パネル用支持コラムＣの斜視図および平面図である。太陽電池パネル用支持コラムＣは太陽電池パネル塀の中間の屈曲部に用いられる。
太陽電池パネル用支持コラムＣは、柱部１と４つのパネル支持部２からなる。柱部１は中空の長尺のパイプであり、平面視は正方形に近いＬ字型である。Ｌ字型の２つの凸部１ａ（図６における右側及び下側）を挟んで２つずつのパネル支持部２が設けられている。
【００１６】
パネル支持部２は、太陽電池パネル用支持コラムＡのパネル支持部２と同形で、それぞれ平面視コ字型となっている。また図５に示すように、パネル支持部２は柱部１の長手方向と平行に延び、柱部１の全長に渡って設けられている。したがって太陽電池パネル用支持コラムＣはいずれの位置の水平断面も図６と同じ形状となっている。
【００１７】
柱部１の凸部を挟んで隣り合う２つのパネル支持部２を１対として、２対のパネル支持部２とすると、対をなす２つのパネル支持部２のパネル支持溝２ａ同士が同一方向に開口している。さらに、１対のパネル支持溝２ａの開口する方向と、他の対のパネル支持溝２ａの開口する方向とが直角をなしている（図６における右方向および下方向）。
１対のパネル支持溝２ａ間の距離は、太陽電池パネル用支持コラムＡのパネル支持溝２ａ間の距離と同じである。
【００１８】
前述の通り、太陽電池パネル用支持コラムＣは太陽電池パネル塀の中間の屈曲部に用いることができるので、パネルＤを連結し屈曲した太陽電池パネル塀を構成することができる。
図７に示すように、他の２本の太陽電池パネル用支持コラムＡ、ＢもしくはＣの間に太陽電池パネル用支持コラムＣをパネル支持溝２ａの開口方向が他の２本の太陽電池パネル用支持コラムＡ、Ｂ、Ｃのパネル支持溝２ａに向かい合うように設置して、その間に４枚のパネルＤを挿入すれば、長方形のパネルＤの向かい合う２辺をパネル支持溝２ａで固定することができる。これにより、パネルＤを二重とし、屈曲した太陽電池パネル塀を構成することができる。本実施形態の場合、直角に屈曲した太陽電池パネル塀を構成することができる。
【００１９】
以上の通り、複数本の太陽電池パネル用支持コラムＡ、Ｂ、Ｃと複数枚のパネルＤを組み合わせることにより、任意の形状の太陽電池パネル塀を構成することができる。したがって、建物や敷地の形状に合わせて太陽電池パネル塀を設置することができる。
【００２０】
図８は、太陽電池パネル塀の斜視図である。このように、太陽電池パネル塀の上部に屋根Ｅを設けることで雨やごみ等がパネルＤの間に侵入することを防ぐことができる。
また、図７に示すように、パネル支持溝２ａとパネルＤの辺部との間にゴムパッキンなどの弾性シートＦを挟むことが好ましい。パネル支持溝２ａとパネルＤの辺部との隙間から風や雨が侵入するのを防ぐほか、衝撃が加わった際にパネルＤを保護する役割も果たす。
【００２１】
太陽電池パネル塀において一部もしくは全部のパネルＤを太陽電池パネルとすることができる。太陽電池パネルを用いれば、発電することにより省エネルギーに貢献することができるし、電力の一部を自家発電で賄うこともできる。パネルＤは二重に構成することができるので、太陽の方向により一方の面が影になる場合でも他方の面で太陽光線を受けて発電を続けることができる。
【００２２】
一般に、太陽電池パネルは高価であるので、必要な塀の長さ全てに太陽電池パネルを用いるとすると非常に高価に成る場合がある。また、常に影となる面に太陽電池パネルを設けることは無駄となる。本考案の太陽電池パネル塀では、全てのパネルＤを太陽電池パネルにする必要はなく、太陽電池パネルを適当な枚数だけ設置することができる。そのため、太陽電池パネル塀を設置する際の費用を抑えることができる。さらに、設置した後に適宜太陽電池パネルの枚数を増減させることも可能である。また、太陽電池パネルが故障した場合には、故障した太陽電池パネルを取り外し、新たな太陽電池パネルかその他の太陽電池以外のパネルに取り替えることもできる。
太陽電池以外のパネルとしては、例えば木板や石膏ボード等があるが、特に限定はない。
【００２３】
太陽電池パネル用支持コラムＡ、Ｂ、Ｃは、例えばアルミ材の押し出し形成で製造することができるが、その材質および製法に特に限定はない。
本実施形態では柱部１を中空のおよそ四角柱のものとしたが、これに限定する必要はなく、中空でなくても良いし、円柱等の他の形状でもよい。また、パネル支持部２の外側支持部２ｂおよび内側支持部２ｃも板状である必要はなく、パネル支持溝２ａを形成し、パネルＤを支持することができればどのような形状でもよい。
【００２４】
太陽電池パネル用支持コラムＣは、太陽電池パネル塀を直角に屈曲するためのものであるが、本考案は直角に限定されるものではない。パネル支持部２の位置とパネル支持溝２ａの開口する方向を変更することより、任意の角度に屈曲するための太陽電池パネル用支持コラムを形成することができる。
さらに、２方向にパネルＤを接続するものに限らず、パネル支持部２の数とパネル支持溝２ａの数及び開口する方向を変更することにより３方向、４方向等の多方向にパネルＤを接続する太陽電池パネル用支持コラムを形成することもできる。
【００２５】
また、太陽電池パネル用支持コラムＡ、Ｂ、ＣはパネルＤを二重とした太陽電池パネル塀を構成するが、１方向に開口するパネル支持溝２ａの数が１つになるように太陽電池パネル用支持コラムを形成すれば、それを用いることによってパネルＤを一重とした太陽電池パネル塀を設置することができる。
【００２６】
以上の通り、本考案の太陽電池パネル用支持コラムは、太陽電池パネルを塀として構成することができ、太陽電池パネル塀を提供することができる。
【図面の簡単な説明】
【００２７】
【図１】本考案の第１実施形態に係る太陽電池パネル用支持コラムＡの斜視図である。
【図２】同太陽電池パネル用支持コラムＡの平面図である。
【図３】本考案の第２実施形態に係る太陽電池パネル用支持コラムＢの斜視図である。
【図４】同太陽電池パネル用支持コラムＢの平面図である。
【図５】本考案の第３実施形態に係る太陽電池パネル用支持コラムＣの斜視図である。
【図６】同太陽電池パネル用支持コラムＣの平面図である。
【図７】本考案に係る太陽電池パネル塀の水平断面図である。
【図８】同太陽電池パネル塀の斜視図である。
【符号の説明】
【００２８】
Ａ  太陽電池パネル用支持コラム
Ｂ  太陽電池パネル用支持コラム
Ｃ  太陽電池パネル用支持コラム
１  柱部
１ａ  凸部
２  パネル支持部
２ａ  パネル支持溝
２ｂ  外側支持部
２ｃ  内側支持部
ａ  中心軸
ｂ  中心
Ｄ  パネル
Ｅ  屋根
Ｆ  弾性シート
【図１】
0003146785.tif 000003
【図２】
0003146785.tif 000004
【図３】
0003146785.tif 000005
【図４】
0003146785.tif 000006
【図５】
0003146785.tif 000007
【図６】
0003146785.tif 000008
【図７】
0003146785.tif 000009
【図８】
0003146785.tif 000010
【手続補正書】
【提出日】平成20年9月17日(2008.9.17)
【手続補正１】
【補正対象書類名】実用新案登録請求の範囲
【補正対象項目名】全文
【補正方法】変更
【補正の内容】
【実用新案登録請求の範囲】
【請求項１】
柱部とパネル支持部からなる支持コラムであって、
前記パネル支持部が前記柱部の外側面に設けられており、
前記パネル支持部はパネルの辺部が挿入されるパネル支持溝を形成する外側支持部と内側支持部を有し、
前記パネル支持溝は前記柱部の長手方向と平行に延びる
ことを特徴とする太陽電池パネル用支持コラム。
【請求項２】
前記柱部と、２つの前記パネル支持部からなる支持コラムであって、
１つの前記パネル支持部に対して１つの前記パネル支持溝が形成されており、
２つの前記パネル支持部の前記パネル支持溝同士が同一方向に開口している
ことを特徴とする請求項１記載の太陽電池パネル用支持コラム。
【請求項３】
前記柱部と、２つの前記パネル支持部からなる支持コラムであって、
１つの前記パネル支持部に対して２つの前記パネル支持溝が、同一線上で反対向きに開口するように形成されており、
２つの前記パネル支持部の各前記パネル支持溝が反対向きに２つずつ開口している
ことを特徴とする請求項１記載の太陽電池パネル用支持コラム。
【請求項４】
前記柱部と、４つの前記パネル支持部からなる支持コラムであって、
１つの前記パネル支持部に対して１つの前記パネル支持溝が形成されており、
隣り合う２つの前記パネル支持部を１対として、２対の前記パネル支持部とし、
対をなす２つの前記パネル支持部の前記パネル支持溝同士が同一方向に開口しており、
１対の前記パネル支持部の前記パネル支持溝の開口する方向と、他の対の前記パネル支持部の前記パネル支持溝の開口する方向とが一定の角度をなす
ことを特徴とする請求項１記載の太陽電池パネル用支持コラム。
【請求項５】
複数本の請求項１記載の太陽電池パネル用支持コラムと、複数枚のパネルからなり、
各前記パネルの向かい合う２辺を２本の前記太陽電池パネル用支持コラムの前記パネル支持溝で挟み込み、
複数枚の前記パネルが、前記太陽電池パネル用支持コラムを介して互いに連結されている
ことを特徴とする太陽電池パネル塀。
【請求項６】
請求項５記載の太陽電池パネル塀において、
一部もしくは全部のパネルを太陽電池パネルとする
ことを特徴とする太陽電池パネル塀。
【手続補正２】
【補正対象書類名】明細書
【補正対象項目名】全文
【補正方法】変更
【補正の内容】
【考案の詳細な説明】
【技術分野】
【０００１】
本考案は、太陽電池パネル用支持コラム、太陽電池パネル塀に関する。
【背景技術】
【０００２】
近年では、省エネルギーのために種々の場面において太陽電池が設置されている。そのなかでも建物の外壁や屋根は太陽光線を受けやすいため、太陽電池パネルの設置が多く行われている。
建物の外壁や屋根に太陽電池パネルを設置することは従来から行われており、その従来技術も、外壁に設置する技術として特許文献１、２が、屋根に設置する技術として特許技術３、４が開示されている。
しかしながら、太陽電池パネルを塀として構成する技術に関しては、建物の外壁と同様に太陽光線を受けやすいにもかかわらず、現在まで何ら示唆されることはなかった。
【０００３】
【特許文献１】特開平１１−１７２８１３
【特許文献２】特開２０００−６４５５５
【特許文献３】特開２００２−１３２６６
【特許文献４】特開２００５−２８２１２４
【考案の開示】
【考案が解決しようとする課題】
【０００４】
本考案は上記事情に鑑み、太陽電池パネルを塀として構成するための太陽電池パネル用支持コラムおよびそれにより構成された太陽電池パネル塀を提供することを目的とする。
【課題を解決するための手段】
【０００５】
第１考案の太陽電池パネル用支持コラムは、柱部とパネル支持部からなる支持コラムであって、前記パネル支持部が前記柱部の外側面に設けられており、前記パネル支持部はパネルの辺部が挿入されるパネル支持溝を形成する外側支持部と内側支持部を有し、前記パネル支持溝は前記柱部の長手方向と平行に延びることを特徴とする。
第２考案の太陽電池パネル用支持コラムは、第１考案において、前記柱部と、２つの前記パネル支持部からなる支持コラムであって、１つの前記パネル支持部に対して１つの前記パネル支持溝が形成されており、２つの前記パネル支持部の前記パネル支持溝同士が同一方向に開口していることを特徴とする。
第３考案の太陽電池パネル用支持コラムは、第１考案において、前記柱部と、２つの前記パネル支持部からなる支持コラムであって、１つの前記パネル支持部に対して２つの前記パネル支持溝が、同一線上で反対向きに開口するように形成されており、２つの前記パネル支持部の各前記パネル支持溝が反対向きに２つずつ開口していることを特徴とする。
第４考案の太陽電池パネル用支持コラムは、第１考案において、前記柱部と、４つの前記パネル支持部からなる支持コラムであって、１つの前記パネル支持部に対して１つの前記パネル支持溝が形成されており、隣り合う２つの前記パネル支持部を１対として、２対の前記パネル支持部とし、対をなす２つの前記パネル支持部の前記パネル支持溝同士が同一方向に開口しており、１対の前記パネル支持部の前記パネル支持溝の開口する方向と、他の対の前記パネル支持部の前記パネル支持溝の開口する方向とが一定の角度をなすことを特徴とする。
第５考案の太陽電池パネル塀は、複数本の第１考案の太陽電池パネル用支持コラムと、複数枚のパネルからなり、各前記パネルの向かい合う２辺を２本の前記太陽電池パネル用支持コラムの前記パネル支持溝で挟み込み、複数枚の前記パネルが、前記太陽電池パネル用支持コラムを介して互いに連結されていることを特徴とする。
第６考案の太陽電池パネル塀は、第５考案の太陽電池パネル塀において、一部もしくは全部のパネルを太陽電池パネルとすることを特徴とする。
【考案の効果】
【０００６】
第１考案によれば、パネル支持溝にパネルの辺部を挿入することができるので、パネルの辺部を太陽電池パネル用支持コラムで固定することができる。２本の太陽電池パネル用支持コラムをパネル支持溝の開口方向が向かい合うように設置して、その間にパネルを挿入し、パネルの向かい合う２辺をパネル支持溝で固定すれば、太陽電池パネル塀を構成することができる。
第２考案によれば、１本の太陽電池パネル用支持コラムに同一方向に開口する２つのパネル支持溝が形成されているので、２枚の平行なパネルのそれぞれの１辺を固定することができる。２本の太陽電池パネル用支持コラムをパネル支持溝の開口方向が向かい合うように設置して、その間に２枚の平行なパネルを挿入し、それぞれのパネルの向かい合う２辺をパネル支持溝で固定すれば、パネルを二重とした太陽電池パネル塀を構成することができる。
第３考案によれば、１本の太陽電池パネル用支持コラムにパネル支持溝が反対向きに２つずつ開口するように形成されているので、４枚のパネルのそれぞれの１辺を、太陽電池パネル用支持コラムを挟んで２枚ずつ平行に固定することができる。２本の第２考案の太陽電池パネル用支持コラムをパネル支持溝の開口方向が向かい合うように設置して、その間に１本または複数本の第３考案の太陽電池パネル用支持コラムをパネル支持溝の開口方向が全て同一となるように設置して、各太陽電池パネル用支持コラムの間に２枚ずつの平行なパネルを挿入し、それぞれのパネルの向かい合う２辺をパネル支持溝で固定すれば、パネルを二重とし、幅の長い太陽電池パネル塀を構成することができる。
第４考案によれば、１本の太陽電池パネル用支持コラムに一定の角度をなす２方向に開口した２つずつのパネル支持溝が形成されているので、４枚のパネルのそれぞれの１辺を、太陽電池パネル用支持コラムを挟んで２枚ずつ平行に固定することができる。太陽電池パネル用支持コラムを挟んだパネル同士はパネル支持溝と同一の一定の角度をなす。２本の第２考案の太陽電池パネル用支持コラムを設置して、その間に１本または複数本の第４考案の太陽電池パネル用支持コラムを隣り合う太陽電池パネル用支持コラムのパネル支持溝の開口方向が向かい合うように設置して、各太陽電池パネル用支持コラムの間に２枚ずつの平行なパネルを挿入し、それぞれのパネルの向かい合う２辺をパネル支持溝で固定すれば、パネルを二重とし、屈曲した太陽電池パネル塀を構成することができる。
また、第２、第３および第４考案の太陽電池パネル用支持コラムとパネルを組み合わせることにより、複数枚のパネルを太陽電池パネル用支持コラムを介して連結することができるので、任意の形状の太陽電池パネル塀を構成することができる。
第５考案によれば、第１考案の太陽電池パネル用支持コラムとパネルを組み合わせることにより、複数枚のパネルを太陽電池パネル用支持コラムを介して連結することができるので、任意の形状の太陽電池パネル塀を設置することができる。したがって、建物や敷地の形状に合わせて太陽電池パネル塀を設置することができる。
第６考案によれば、第５考案の太陽電池パネル塀において一部もしくは全部のパネルを太陽電池パネルとすることができるので、太陽電池パネルにより発電して省エネルギーに貢献することができる。パネルは二重に構成することができるので、太陽の方向により一方の面が影になる場合でも他方の面で太陽光線を受けて発電を続けることができる。
また、全てのパネルを太陽電池パネルにする必要はないので、一般に高価である太陽電池パネルを適当な枚数だけ設置することができる。太陽電池パネル塀を設置した後に適宜太陽電池パネルの枚数を増減させることも可能である。太陽電池パネルが故障した場合には、故障した太陽電池パネルを取り外し、新たな太陽電池パネルかその他のパネルに取り替えることもできる。
【考案を実施するための最良の形態】
【０００７】
つぎに、本考案の実施形態を図面に基づき説明する。
図１は、本考案の第１実施形態に係る太陽電池パネル用支持コラムＡの斜視図である。図２は、同太陽電池パネル用支持コラムＡの平面図である。
太陽電池パネル用支持コラムＡは柱部１と２つのパネル支持部２からなる。柱部１は中空の長尺のパイプであり、平面視凸型である。凸部１ａは図２における右側に位置する。パネル支持部２は柱部１の外側面の、柱部１を挟んで対称となる２箇所に設けられている。
【０００８】
パネル支持部２はパネル支持溝２ａと、パネル支持溝２ａを形成する外側支持部２ｂおよび内側支持部２ｃからなる。本実施形態では、外側支持部２ｂおよび内側支持部２ｃを板状に形成しているので、パネル支持部２は平面視コ字型となっている。このような形状であるので、後述するようにパネル支持溝２ａにパネルＤの辺部を挿入して、パネルＤを固定することができる。
【０００９】
図１に示すように、パネル支持部２は柱部１の長手方向と平行に延び、柱部１の全長に渡って設けられている。したがって太陽電池パネル用支持コラムＡはいずれの位置の水平断面も図２と同じ形状となっている。
また、２つのパネル支持溝２ａは同一方向（図２における右方向）に開口しており、平面視では、図２おける中心軸ａに対して線対称の形状をしている。
【００１０】
図７は、太陽電池パネル塀の水平断面図である。太陽電池パネル用支持コラムＡは構成する太陽電池パネル塀の終端に用いる。
太陽電池パネル用支持コラムＡに対してもう一本の太陽電池パネル用支持コラムＡまたは後述する太陽電池パネル用支持コラムＢまたはＣをパネル支持溝２ａの開口方向が向かい合うように設置して、その間に２枚のパネルＤを挿入すれば、長方形のパネルＤの向かい合う２辺をパネル支持溝２ａで固定することができる。太陽電池パネル用支持コラムＡの２つのパネル支持溝２ａは同一方向に開口しているので、挿入された２枚のパネルＤは平行となり、パネルＤを二重とした太陽電池パネル塀を構成することができる。
【００１１】
図３、図４は、それぞれ第２実施形態に係る太陽電池パネル用支持コラムＢの斜視図および平面図である。太陽電池パネル用支持コラムＢは太陽電池パネル塀の中間に用いられる。
太陽電池パネル用支持コラムＢは、柱部１と２つのパネル支持部２からなる。柱部１は中空の長尺のパイプであり、平面視正方形である。パネル支持部２は柱部１の外側面の、柱部１を挟んでの対称となる２箇所に設けられている。
【００１２】
パネル支持部２はパネル支持溝２ａを形成する外側支持部２ｂおよび内側支持部２ｃからなり、かつ１つのパネル支持部２に対して２つのパネル支持溝２ａが、同一線上で反対向きに開口するように形成されている。本実施形態では、外側支持部２ｂおよび内側支持部２ｃは板状に形成されており、それぞれ柱部１の側面に対して平行となっている。
【００１３】
図３に示すように、パネル支持部２は柱部１の長手方向と平行に延び、柱部１の全長に渡って設けられている。したがって太陽電池パネル用支持コラムＢはいずれの位置の水平断面も図４と同じ形状となっている。
また、２つのパネル支持部２間の各パネル支持溝２ａは反対向き（図４における左右方向）に２つずつ開口しており、平面視では、中心ｂに対して点対称の形状をしている。太陽電池パネル用支持コラムＡおよびＢにおいて、それぞれの２つのパネル支持部２間のパネル支持溝２ａの距離は同じである。
【００１４】
前述の通り、太陽電池パネル用支持コラムＢは太陽電池パネル塀の中間に用いることができるので、パネルＤを連結し幅の長い太陽電池パネル塀を構成することができる。
図７に示すように、他の２本の太陽電池パネル用支持コラムＡ、ＢもしくはＣの間に太陽電池パネル用支持コラムＢをパネル支持溝２ａの開口方向が他の２本の太陽電池パネル用支持コラムＡ、Ｂ、Ｃのパネル支持溝２ａに向かい合うように設置して、その間に４枚のパネルＤを挿入すれば、長方形のパネルＤの向かい合う２辺をパネル支持溝２ａで固定することができる。これにより、パネルＤを二重とし、幅の長い太陽電池パネル塀を構成することができる。
【００１５】
図５、図６は、それぞれ第３実施形態に係る太陽電池パネル用支持コラムＣの斜視図および平面図である。太陽電池パネル用支持コラムＣは太陽電池パネル塀の中間の屈曲部に用いられる。
太陽電池パネル用支持コラムＣは、柱部１と４つのパネル支持部２からなる。柱部１は中空の長尺のパイプであり、平面視は正方形に近いＬ字型である。Ｌ字型の２つの凸部１ａ（図６における右側及び下側）を挟んで２つずつのパネル支持部２が設けられている。
【００１６】
パネル支持部２は、太陽電池パネル用支持コラムＡのパネル支持部２と同形で、それぞれ平面視コ字型となっている。また図５に示すように、パネル支持部２は柱部１の長手方向と平行に延び、柱部１の全長に渡って設けられている。したがって太陽電池パネル用支持コラムＣはいずれの位置の水平断面も図６と同じ形状となっている。
【００１７】
柱部１の凸部を挟んで隣り合う２つのパネル支持部２を１対として、２対のパネル支持部２とすると、対をなす２つのパネル支持部２のパネル支持溝２ａ同士が同一方向に開口している。さらに、１対のパネル支持溝２ａの開口する方向と、他の対のパネル支持溝２ａの開口する方向とが直角をなしている（図６における右方向および下方向）。
１対のパネル支持溝２ａ間の距離は、太陽電池パネル用支持コラムＡのパネル支持溝２ａ間の距離と同じである。
【００１８】
前述の通り、太陽電池パネル用支持コラムＣは太陽電池パネル塀の中間の屈曲部に用いることができるので、パネルＤを連結し屈曲した太陽電池パネル塀を構成することができる。
図７に示すように、他の２本の太陽電池パネル用支持コラムＡ、ＢもしくはＣの間に太陽電池パネル用支持コラムＣをパネル支持溝２ａの開口方向が他の２本の太陽電池パネル用支持コラムＡ、Ｂ、Ｃのパネル支持溝２ａに向かい合うように設置して、その間に４枚のパネルＤを挿入すれば、長方形のパネルＤの向かい合う２辺をパネル支持溝２ａで固定することができる。これにより、パネルＤを二重とし、屈曲した太陽電池パネル塀を構成することができる。本実施形態の場合、直角に屈曲した太陽電池パネル塀を構成することができる。
【００１９】
以上の通り、複数本の太陽電池パネル用支持コラムＡ、Ｂ、Ｃと複数枚のパネルＤを組み合わせることにより、複数枚のパネルを太陽電池パネル用支持コラムＡ、Ｂ、Ｃを介して連結することができるので、任意の形状の太陽電池パネル塀を構成することができる。したがって、建物や敷地の形状に合わせて太陽電池パネル塀を設置することができる。
【００２０】
図８は、太陽電池パネル塀の斜視図である。このように、太陽電池パネル塀の上部に屋根Ｅを設けることで雨やごみ等がパネルＤの間に侵入することを防ぐことができる。
また、図７に示すように、パネル支持溝２ａとパネルＤの辺部との間にゴムパッキンなどの弾性シートＦを挟むことが好ましい。パネル支持溝２ａとパネルＤの辺部との隙間から風や雨が侵入するのを防ぐほか、衝撃が加わった際にパネルＤを保護する役割も果たす。
【００２１】
太陽電池パネル塀において一部もしくは全部のパネルＤを太陽電池パネルとすることができる。太陽電池パネルを用いれば、発電することにより省エネルギーに貢献することができるし、電力の一部を自家発電で賄うこともできる。パネルＤは二重に構成することができるので、太陽の方向により一方の面が影になる場合でも他方の面で太陽光線を受けて発電を続けることができる。
【００２２】
一般に、太陽電池パネルは高価であるので、必要な塀の長さ全てに太陽電池パネルを用いるとすると非常に高価に成る場合がある。また、常に影となる面に太陽電池パネルを設けることは無駄となる。本考案の太陽電池パネル塀では、全てのパネルＤを太陽電池パネルにする必要はなく、太陽電池パネルを適当な枚数だけ設置することができる。そのため、太陽電池パネル塀を設置する際の費用を抑えることができる。さらに、設置した後に適宜太陽電池パネルの枚数を増減させることも可能である。また、太陽電池パネルが故障した場合には、故障した太陽電池パネルを取り外し、新たな太陽電池パネルかその他の太陽電池以外のパネルに取り替えることもできる。
太陽電池以外のパネルとしては、例えば木板や石膏ボード等があるが、特に限定はない。
【００２３】
太陽電池パネル用支持コラムＡ、Ｂ、Ｃは、例えばアルミ材の押し出し形成で製造することができるが、その材質および製法に特に限定はない。
本実施形態では柱部１を中空のおよそ四角柱のものとしたが、これに限定する必要はなく、中空でなくても良いし、円柱等の他の形状でもよい。また、パネル支持部２の外側支持部２ｂおよび内側支持部２ｃも板状である必要はなく、パネル支持溝２ａを形成し、パネルＤを支持することができればどのような形状でもよい。
【００２４】
太陽電池パネル用支持コラムＣは、太陽電池パネル塀を直角に屈曲するためのものであるが、本考案は直角に限定されるものではない。パネル支持部２の位置とパネル支持溝２ａの開口する方向を変更することより、任意の角度に屈曲するための太陽電池パネル用支持コラムを形成することができる。
さらに、２方向にパネルＤを接続するものに限らず、パネル支持部２の数とパネル支持溝２ａの数及び開口する方向を変更することにより３方向、４方向等の多方向にパネルＤを接続する太陽電池パネル用支持コラムを形成することもできる。
【００２５】
また、太陽電池パネル用支持コラムＡ、Ｂ、ＣはパネルＤを二重とした太陽電池パネル塀を構成するが、１方向に開口するパネル支持溝２ａの数が１つになるように太陽電池パネル用支持コラムを形成すれば、それを用いることによってパネルＤを一重とした太陽電池パネル塀を設置することができる。
【００２６】
以上の通り、本考案の太陽電池パネル用支持コラムは、太陽電池パネルを塀として構成することができ、太陽電池パネル塀を提供することができる。
【図面の簡単な説明】
【００２７】
【図１】本考案の第１実施形態に係る太陽電池パネル用支持コラムＡの斜視図である。
【図２】同太陽電池パネル用支持コラムＡの平面図である。
【図３】本考案の第２実施形態に係る太陽電池パネル用支持コラムＢの斜視図である。
【図４】同太陽電池パネル用支持コラムＢの平面図である。
【図５】本考案の第３実施形態に係る太陽電池パネル用支持コラムＣの斜視図である。
【図６】同太陽電池パネル用支持コラムＣの平面図である。
【図７】本考案に係る太陽電池パネル塀の水平断面図である。
【図８】同太陽電池パネル塀の斜視図である。
【符号の説明】
【００２８】
Ａ  太陽電池パネル用支持コラム
Ｂ  太陽電池パネル用支持コラム
Ｃ  太陽電池パネル用支持コラム
１  柱部
１ａ  凸部
２  パネル支持部
２ａ  パネル支持溝
２ｂ  外側支持部
２ｃ  内側支持部
ａ  中心軸
ｂ  中心
Ｄ  パネル
Ｅ  屋根
Ｆ  弾性シート